(57)【要約】  圧力制御装置（２０）は、圧力ポート（２２）および戻りポート（２３）を有する制御可能な可変容量形可逆油圧モータ（２１）と、加圧流体源（Ｐs）と、流体帰路（Ｒ）と、源と戻りポートと圧力ポートの間に動作可能な状態で挿入された圧力調整弁（２４）とを含む。圧力調整弁は、圧力ポートを通る流れの方向に関係なく、圧力ポートにて所定の圧力を維持するように動作自在に配置構成される。【特許請求の範囲】
【請求項１】
圧力制御装置であって、
圧力ポートおよび戻りポートを有する制御可能な可変排出量油圧モータと、
加圧流体の源と、
流体帰路と、
前記源と帰路と圧力ポートの間に動作自在に挿入された圧力調整弁とを有し、前記弁は、前記圧力ポートを通る流れの方向に関係なく、前記圧力ポートにて所定の圧力を維持するように動作自在に配置構成されるものである圧力制御装置。
【請求項２】
前記モータが可変角度斜板を含む請求項１に記載の圧力制御装置。
【請求項３】
前記弁が三方弁である請求項１に記載の圧力制御装置。
【請求項４】
前記弁が弁スプールを有する請求項３に記載の圧力制御装置。
【請求項５】
前記弁が前記圧力ポートと連絡する第１スプール端室を有する請求項４に記載の圧力制御装置。
【請求項６】
前記弁が第２スプール端室と、前記圧力ポートにおける圧力を増加させる方向に前記弁スプールを動作させるようにバイアス付与する前記第２スプール端室に関連する手段とを有する請求項５に記載の圧力制御装置。
【請求項７】
前記バイアス付与手段が前記第２スプール端室内のばねを含む請求項６に記載の圧力制御装置。
【請求項８】
前記バイアス付与手段が前記第２スプール端室内の流体の圧力である請求項６に記載の圧力制御装置。
【請求項９】
前記源と帰路と第２スプール端室との間に動作自在に配置構成された三方パイロット弁をさらに有する請求項８に記載の圧力制御装置。
【請求項１０】
前記第２スプール端室内の圧力が前記所定圧力である請求項８に記載の圧力制御装置。
【請求項１１】
前記第２スプール端室での圧力が選択的に前記源および帰路圧力の一方である請求項９に記載の圧力制御装置。
【請求項１２】
前記弁が、前記圧力ポートにおける圧力を減少させる方向に動作させるように前記弁スプールにバイアス付与する前記第１スプール端室に関連するピストン手段を有し、前記ピストン手段が前記源の圧力で負加される請求項９に記載の圧力制御装置。
【請求項１３】
流体の流れが前記圧力ポートから出ると、このような流れが前記モータ戻りポートへと向けられる請求項１に記載の圧力制御装置。
【発明の詳細な説明】
【技術分野】
【０００１】
本発明は、一般的にはサーボ機構およびその構成要素に、かつ、詳細には、可変容量形可逆油圧モータの改良された調整圧力供給に関する。
【背景技術】
【０００２】
サーボ制御の可変容量形可逆油圧モータは、流体動力の効率性のせいで、翼前縁および後縁フラップ、前縁スラット、ドア・システムのような航空機の２次操縦面の作動に使用されることが多い。このようなモータは通常、航空機の圧力供給管路および戻り管路に接続される。このような配置構成では、モータ排出量のサーボ制御が、モータ出力トルクの大きさおよび方向を決定する。このようなモータは通常、一定の油圧供給圧力が供給され、モータ排出量を変更するために、傾斜可能な斜板の調節によって所望の出力トルクを生成するように制御される。可逆モータでは、斜板はプラスとマイナスの両方のトルクを生成するために、ゼロ変位を中心とした位置を通していずれかの方向に傾斜させることができる。この機能は往々にして「オーバセンタ」制御と呼ばれる。
【発明の開示】
【発明が解決しようとする課題】
【０００３】
典型的な用途では、被動操縦面は、空気流内へと外方向に偏向すると、ばね様の負荷を加える。概して、駆動トルクは、空気流への外向きの表面偏向とともに増加する。しかし、操縦面がこのような偏向位置から戻ると、空力ばね内のエネルギを油圧システム内に散逸させねばならない。現在知られているシステムでは、モータ圧力ポートからの流体は、圧力供給管路に戻され、モータ戻りポートが戻り管路から流体を引き出す。これらの状態は両方とも、圧力供給システム内に汚染物質が導入され、戻り管路に空洞が形成されることがあるので望ましくない。この状態で好ましい配置構成では、圧力ポートからの流体を、モータ戻りポートへと直接バイパスさせることができる。
【課題を解決するための手段】
【０００４】
本発明は、モータ供給管路に圧力調整弁を導入することにより、モータ圧力および戻りポートと選択的に連絡する。その最も単純な形態では、圧力調整弁は、出力圧力ポートと交互に接続する絞り可能な供給圧力ポートおよび戻りポートを有する三方スプール弁である。出力圧力が一方のスプール端室に送り戻され、基準圧力が他方のスプール端室に供給される。弁は、出力ポートを出入りする流れの大きさおよび方向に関係なく、出力圧力を基準圧力と等しくするように作用する。圧力調整弁はよく知られている装置であるが、可変容量形油圧モータと組み合わせたその使用法は新規である。
【０００５】
本発明の別の態様は、こような用途で通常は必要とされる圧力遮断／バイパス弁（通常は２段階の電磁作動弁）の代わりに圧力調整弁の必要な高い流量を使用することである。これは、三方電磁パイロット弁の出力ポートを接続し、圧力調整弁の基準圧力を供給することによって、非常に単純に実現することができる。基準圧力を帰路に切り換えると、圧力調整弁の出力も帰路に保持され、したがってモータの動作を遮断し、２つのモータ・ポート間にバイパス流を提供する。
開示された実施形態の対応する部品、一部または表面を、単に例示するために、制限的ではなく説明的に参照すると、本発明は広義に、改良された圧力制御装置（２０）を提供する。改良された装置は広義に、圧力ポート（２２）および戻りポート（２３）を有する制御可能な可変容量形可逆油圧モータ（２１）と、加圧流体源（Ｐs）と、流体帰路（Ｒ）と、源と戻りポートと圧力ポートの間に動作可能な状態で挿入された圧力調整弁（２４）とを含み、弁は、圧力ポートを通る流れの方向に関係なく、圧力ポートにて所定の圧力を維持するように動作可能な状態で配置構成される。これに関して、圧力調整弁から圧力ポートへの流れは、「対向」負荷を動作させるプラスのモータ排出量を表し、圧力ポートから圧力調整弁への流れは、「助成」負荷の状態を特徴付ける。
【０００６】
好ましい実施形態では、モータは、可変角度のサーボ制御式斜板を含んでよい。圧力調整弁は三方弁であることが好ましく、供給圧力または帰路をモータ圧力ポートに接続するように配置構成された弁スプールを有することが好ましい。この構成で、弁は、モータ圧力ポートと連絡する第１スプール端室（２８）を有し、第２スプール端室（２９）を有する。モータ圧力ポートにて圧力を増加させる方向に弁スプールを動作させるようにバイアスを加えるために、第２スプールおよび室に、またはそれに関連して手段を設ける。バイアス付与手段は、第２スプール端室内のばねを含むか、源から供給される基準流体圧力でよい。調整弁は本質的に、モータ圧力ポートを出入りする流れの方向に関係なく、モータ圧力がバイアス力と比例するか、基準圧力と等しくなるように作用する。
【０００７】
別の実施形態では、電磁式パイロット弁が、第２スプール端室への接続部に導入され、したがってモータが全圧で動作するか、あるいは戻り圧で遮断し、バイパスされるように、基準圧力を供給圧力または戻り圧力になるように選択することができる。
【０００８】
したがって、本発明の全体的目的は、可変容量形可逆油圧モータの改良型の調整圧力供給を提供することである。
【０００９】
別の目的は、別個の高流量遮断弁を追加せずに電磁式モータ遮断機能を提供することである。
【００１０】
以上およびその他の目的および利点は、以上および以下の明細書、図面および請求の範囲から明白になる。
【実施例】
【００１１】
最初に、同様の参照番号は、幾つかの図面を通して一貫して同じ構造的要素、部分または表面を識別するように意図されていることを明瞭に理解されたい。このような要素、部分または表面が、この詳細な説明を一体部分とする明細書全体でさらに記述または説明されることがあるからである。他に示していない限り、図面は本明細書とともに読むように意図され（例えば網かけ、部品の配置構成、比率、度など）、本発明の説明書全体の一部と見なされる。以下の記述では、「水平」、「垂直」、「左」、「右」、「上」および「下」という用語、さらにその形容詞および副詞の派生語（例えば「水平に」、「右方向に」、「上方向に」など）は単に、特定の図が読み手に面した状態で、図示された構造の方向を指す。同様に、「内側に」および「外側に」という用語は通常、適宜、延長軸または回転軸に対する表面の方向を指す。
【００１２】
第１実施形態（図１）
次に図１を参照すると、本発明は広義に、改良型圧力制御装置を提供し、その現在好ましい形態を全体として２０で示す。装置２０は広義に、圧力ポートおよび戻りポート２３を有する制御可能な可変容積形可逆油圧モータ２１、加圧流体源Ｐs、流体帰路Ｒ、および全体として２４で示す圧力調整弁を含むものとして図示されている。
【００１３】
油圧モータは、概略的に記号２７で示した斜板を有するタイプでよく、その角度は制御可能である。
【００１４】
圧力調整弁２４は、２ローブ弁スプール２６を有する三方弁として図示されている。弁は右スプール端室２８および左スプール端室２９を有する。源からの加圧流体が、管路３０を介して圧力調整弁のポートに提供され、それは通常、右スプール・ローブ２６Ｒによって覆われている。別の導管３１が、モータ戻りポート２３を流体帰路と連絡させる。枝導管３２は、左スプール・ローブ２６Ｌで通常は覆われるポートと連絡する。導管３３は、左右の弁スプール・ローブ間の空間をモータ圧力ポートと連絡する。枝導管３４は、スプール右端室２８を導管３３と連絡させる。したがって、右端室２８内の圧力は、ローブ２６Ｌ、２６Ｒ間の圧力と同じである。
【００１５】
スプール左端室２９は、導管３０および４２を介して供給圧力Ｐsと接続する。管路３３内の出力圧力が（モータへ入る流れのせいで）低下すると、端室２８、２９間の圧力差が、弁スプールを図示の位置から右側へと変位させる。この変位は、右スプール・ローブで覆われた状態で図示されているポートを開き、これによって流体が源から導管３０、３３を介してモータ圧力ポートへと流れることができる。モータ入口圧が供給圧力と等しくなるにつれ、スプール２６は左側へと変位し、したがって右スプール・ローブが、供給管路３０と接続するポートをちょうど閉じる。
【００１６】
適切な機構（図示せず）は、図１のθで概略的に図示された斜板の角度を制御するためにモータが付随している。空力負荷に抗して変位するように制御表面を変位させるモータトルクを生成するために斜板を変位させる場合は、モータの回転につれてモータ圧力ポートに流れが入る必要がある。この流れは、ポートが再び閉じる時点である空力負荷がモータトルクと等しくなるポイントへと表面が変位するまで、圧力管路３０に接続するポートのカバーを外すために圧力調整弁スプールが右側へと動作することによって提供される。
【００１７】
次に斜板が動作してモータ排出量を減少させ、外側に変位した操縦面が非変位位置へと戻れるようにすると、これで空力負荷は表面の運動を「助成」し、モータが流体を変位させて、圧力ポートから出し、管路３３内の圧力を供給圧力より高くする傾向がある。この増大した圧力が調整弁の右端に作用し、弁スプールを図示の位置から左側へと変位させ、導管３０、３３間の流れを遮断し、これによってモータ圧力ポート２２からモータ戻りポート２３への導管３３、３２および３１を介した制限された流体のバイパス流が可能になる。したがって、「助成」負荷の場合、バイパス流は流体源に戻らず、流体が帰路からシステムに引き込まれない。
【００１８】
第２実施形態（図２）
通常は、直前で述べたようなモータ制御システムを積極的に動作不能にできることが望ましく、これにはモータから圧力を除去し、モータの逆駆動を可能にする自由流バイパスを提供する２段階の電磁式高流量パイロット弁が概して必要である。本発明の第２形態では、図２で示すように、単純に電磁パイロット弁２５を追加し、圧力調整弁のスプール端室２９に加えられる基準圧力を選択的に制御することによって、圧力調整弁を使用することができる。
【００１９】
電磁式パイロット弁２５は、コイル３５、プランジャ３６、２つの座の間で動作するために室３９内で動作するように配置構成された玉３８、および導管４１、４２間の流れを防止するようにプランジャを下降させるばね４０を有するように図示されている。分岐導管４１は、導管３０を玉の下のポートと連絡させ、分岐導管４２は、玉室３９をスプール左端室２９と連絡させる。導管４３は、室３９を戻り導管３１と連絡させる。
【００２０】
装置が図２に示す状態（つまり電磁弁に通電していない）にあり、次に電流ｉsolがパイロット弁に供給されると、プランジャ３６が上方向に引っ張られ、玉３８が玉室３９内の上座と密封状態で係合することができる。これは、導管４３からの流れを遮断し、スプール左端室２９に装填して、この時点で接続されている導管３９、４１および４２を介して圧力Ｐsを供給する。次に、図１に関して前述したように圧力調整弁２４が機能し、モータ圧力ポート２２への圧力供給を制御する。
【００２１】
しかし、その圧力調整機能は変更されていないが、弁２４は図１に図示したものから多少改造されている。補助ピストン５０が室２８に追加され、弁スプール２４の右端に加重するために室５１内で作用するＰsが加重される。弁のこのような変更の目的は、電磁弁が通電されず、端室２９が加圧されていない場合に、積極的な遮断およびバイパスを確実にすることである。管路３３内の調節圧力が戻るために低下しても、弁は恐らくそのゼロ位置付近が汚染により付着し、したがってモータの自由バイパスを防止する。室５１内にＰsが継続して存在すると、大きいプラスの力を提供し、弁スプールを確実に全開バイパス位置にする。
【００２２】
ピストン５０を追加しても、弁の圧力調整機能は一切変化しない。ピストン５０に弁２４の右端に対して、室２９の左端にも加えられている圧力Ｐsを加重すると、その効果はピストン５０の面積だけ、管路３３内の調整圧力が加えられる有効面積を減少させることである。これは、調整器のフィードバック利得の変化を表すが、所望に応じて弁スプール直径の全体的増加によって補償することができる。
【００２３】
本発明は、多くの変更および改造を実行できることを想定する。例えば、他のタイプの同等な弁およびモータで、所望に応じて置換するか、改造することができる。したがって、改良型圧力制御装置の現在好ましい形態が図示されて、説明され。その様々な変更および改造が検討されているが、請求の範囲で定義され、識別された本発明の精神から逸脱することなく、様々な追加的変更および改造を実行できることが、当業者には容易に理解される。
【図面の簡単な説明】
【００２４】
【図１】可変容量形可逆油圧モータに接続した改良型の圧力制御装置の概略図である。
【図２】改良型圧力制御装置に関連した電磁式のパイロット弁の概略図である。
【図１】
2007503560.tif 000002
【図２】
2007503560.tif 000003
【国際調査報告】
2007503560.tif 000004